(57)【特許請求の範囲】
【請求項１】
遊技媒体洗浄装置に用いられメダル、コイン等の遊技媒体の表面を拭くための帯状拭布を張設する棒状のガイド部材であって、
前記ガイド部材を中空状に形成すると共に該中空内部に洗浄液が供給されるようにし、前記ガイド部材の外周面には前記中空内部と連通する吐出孔を開設してなり、
前記ガイド部材の中空内部に供給される洗浄液を前記吐出孔から吐出させて該ガイド部材と接触する帯状拭布に染み込ませるようにしたことを特徴とする遊技媒体洗浄装置に用いられるガイド部材。
【請求項２】
前記吐出孔が外周面の中心軸線に沿って複数開設され、その外周面の前記吐出孔を外した位置にそれぞれ自在に回転する円筒状のローラを嵌合した請求項１記載のガイド部材。
【発明の詳細な説明】
【技術分野】
【０００１】
本発明は、メダル、コイン等の遊技媒体を洗浄する遊技媒体洗浄装置に用いられ、遊技媒体の表面を拭くための帯状拭布を張設するガイド部材に関するものである。
【背景技術】
【０００２】
従来、例えば、遊技機を配設した遊技場にて遊技媒体として使用されるメダルは、遊技者の手垢や循環通路との摩擦等によって汚れることから、その循環通路の途中にメダルを洗浄するためメダル洗浄装置を配設している。該メダル洗浄装置には、その内部に搬送されるメダルの表面に接触させその表面を拭う帯状拭布を複数の棒状のガイド部材により張設するようにしている。また、その帯状拭布によりメダルを拭う前段階として、対向位置させた一対の洗浄液塗布具に洗浄液を供給し、この状態でメダルをその間に通過させ、または、搬送されるメダルを位置検出センサにより検出し、該位置検出センサがメダルを検出したときスプレー缶から洗浄液をそのメダルに噴霧し、メダルの表面に洗浄液を付着させてから帯状拭布により該メダルの表面を拭くようにしている（例えば、特許文献１参照。）。
【０００３】
【特許文献１】特開平７−２２０１３４号公報（第３−４頁、図２、図３）
【発明の開示】
【発明が解決しようとする課題】
【０００４】
前記特許文献１に示されるメダル洗浄装置にあっては、帯状拭布によりメダルの表面を拭う前にメダルの表裏面に洗浄液を付着させるようにしているので、帯状拭布によりメダルを拭い始めると洗浄液もほとんど一緒に拭い落とされてしまう。このため、その後続いてメダルを拭う状態では、メダル表裏面にわずかな洗浄液しか残っておらず、洗浄効果が劣るという課題がある。また、搬送されるメダルが洗浄液塗布具に勢い良く当ったり、スプレー缶でメダルに洗浄液を噴霧するとき、その周囲に余分な洗浄液が飛散してその周囲を甚だしく汚すことになるので、その掃除に多くの労力が必要となり、メンテナンスが面倒であるという課題も有る。
【０００５】
そこで、本発明は、上記課題を解決すべくなされたもので、遊技媒体の洗浄効果を向上させることができると共に遊技媒体洗浄装置内部の洗浄液による汚れも少なくメンテナンスが容易に行なえる遊技媒体洗浄装置に用いられるガイド部材を提供することを目的とするものである。
【課題を解決するための手段】
【０００６】
かかる目的を達成するため、本発明に係る遊技媒体洗浄装置に用いられるガイド部材は、遊技媒体洗浄装置に用いられメダル、コイン等の遊技媒体の表面を拭くための帯状拭布を張設する棒状のガイド部材であって、前記ガイド部材を中空状に形成すると共に該中空内部に洗浄液が供給されるようにし、前記ガイド部材の外周面には前記中空内部と連通する吐出孔を開設してなり、前記ガイド部材の中空内部に供給される洗浄液を前記吐出孔から吐出させて該ガイド部材と接触する帯状拭布に染み込ませるようにした。ガイド部材はその中心軸線に対して直交する面内で回転しないが、回転させるようにしても良い。
【０００７】
また、この際、前記吐出孔がガイド部材の外周面の中心軸線に沿って複数開設され、その外周面の前記吐出孔を外した位置にそれぞれ自在に回転する円筒状のローラを嵌合するようにしても良い。この場合は、ガイド部材は回転しない。
【発明の効果】
【０００８】
本発明に係る遊技媒体洗浄装置に用いられるガイド部材は、メダル、コイン等の遊技媒体の表面を拭くための帯状拭布を張設するガイド部材であって、該ガイド部材を中空状に形成すると共に該中空内部に洗浄液が供給されるようにし、該ガイド部材の外周面には前記中空内部と連通する吐出孔を開設してなる。そして、ガイド部材の中空内部に洗浄液を供給すると共に該洗浄液を吐出孔から吐出させて該ガイド部材と接触する帯状拭布に染み込ませるようにしたので、遊技媒体と接触する帯状拭布全体に洗浄液が染み渡り、常に、洗浄液と一緒に帯状拭布により遊技媒体の表面を拭っていることになる。よって、これにより遊技媒体の洗浄効果が向上するという効果を奏する。また、ガイド部材から帯状拭布に洗浄液を染み込ませるようにしたので、その吐出量を調整してやれば、帯状拭布から洗浄液が下へ垂れ流れたり周囲に飛散することがほとんどなく、遊技媒体洗浄装置内部の洗浄液による汚れも少なくなり、メンテナンスが容易となるという有益な効果も有る。
【０００９】
また、吐出孔がガイド部材の外周面の中心軸線に沿って複数開設され、その外周面の吐出孔を外した位置にそれぞれ自在に回転する円筒状のローラを嵌合するようにすれば、これと接する帯状拭布の磨耗が抑えられ、該帯状拭布が長持ちするという効果が有る。
【発明を実施するための最良の形態】
【００１０】
以下、本発明に係る遊技媒体洗浄装置に用いられるガイド部材の実施の形態を図面に基づき説明する。本発明のガイド部材は、スロットマシン、コインゲーム機、パチンコ遊技機等の遊技機に使用するメダル、コイン、パチンコ球等の遊技媒体を洗浄するための遊技媒体洗浄装置に用いられる。図１は本発明が適用されるメダル洗浄装置の縦断正面図である。同図中、Ａは第１洗浄部、Ｂは第２洗浄部、１０はメダル集合箱で、該メダル集合箱１０に収容された直径の異なるメダルＭ１，Ｍ２は第１洗浄部Ａと第２洗浄部Ｂを通過することにより片面ずつ順に洗浄されてホッパー１１に至る。
【００１１】
第１洗浄部Ａおよび第２洗浄部Ｂは鉛直に支持された組付板１２の前面に形成されており、２０ａは第１洗浄部Ａのコンベヤ、２０ｂは第２洗浄部Ｂのコンベヤである。メダル集合箱１０は上面１０ａが開放され底面１０ｂが傾斜面に形成され、その傾斜下方側面に第１洗浄部Ａのコンベヤ２０ａの下端部が臨んでいる。
【００１２】
図２は第１洗浄部Ａの拡大断面正面図、図３はそのＸ−Ｘ線断面図である。コンベヤ２０ａの無端状の搬送ベルト２１ａは、定幅帯状のゴム布ベルトからなる。そして、図４の斜視図にも示したように、高さがメダルＭ１，Ｍ２の厚さよりも少し低く（高さ１．４ｍｍ）かつ直径が３ｍｍ程の多数の係合部２２ａが、該ゴム布ベルト表面の幅方向にメダルＭ１，Ｍ２の直径よりも狭い２２ｍｍの間隔にて横並びに形成され、ベルト表面の長手方向にはメダルＭ１，Ｍ２の直径よりも広い３５ｍｍの間隔にて連続して形成されている。２３ａ，２４ａは、該搬送ベルト２１ａを巻回している該コンベヤ２０ａの駆動ローラと従動ローラである。該コンベヤ２０ａは、該搬送ベルト２１ａの搬送面がメダル集合箱１０から斜め上向きに起立（起立角度：約７０度）姿勢となるように支持され、該搬送ベルト２１ａを図１矢印で示した方向に駆動することにより該メダル集合箱１０中のメダルＭ１，Ｍ２を図４に示したように隣り合う一対の係合部２２ａの間に填ったような状態で係合させて斜め上向きに搬出させる。
【００１３】
なお、前記搬送ベルト２１ａの係合部２２ａは、背の低い円柱形突起であるが、本発明では係合部２２ａはこの形状に限られることなく、メダルＭ１，Ｍ２を搬送ベルトの表面に係止可能であれば、例えばコ字枠状の係合部を形成するなど、その他の形態に形成してあってもよい。
【００１４】
１３はメダル集合箱１０に設けられたメダル攪拌装置で、該メダル攪拌装置は、図５に示したように、底面１０ｂに複数の突上棒１４をそれぞれ貫通するように設けると共に、低速回転モータ１５の回転軸に複数の偏心カム１６を隣接状に設け、該偏心カム１６の外周に摺接するようにリング１７をそれぞれ設け、該リング１７に該各突上棒１４の下端部を連結している。そして、該偏心カム１６が回転すると該突上棒１４がメダル集合箱１０内に出没動することから、該メダル集合箱１０内のメダルＭ１，Ｍ２が攪拌されるようにしたもので、この攪拌によりメダル集合箱１０中のメダルＭ１，Ｍ２を搬送ベルト２１ａの係合部２２ａ間に係合させ易くしている。
【００１５】
また、３０ａは、無端状の帯状拭布３１ａを前記搬送ベルト２１ａの搬送面に対して適宜間隔を離して平行に張設すると共に、該帯状拭布３１ａを定方向に走行させることにより該帯状拭布３１ａによってメダルＭ１，Ｍ２の表面を拭う拭布支持機構である。そして、ガイド部材としてのガイド杆３２ａとガイドローラ３３ａおよび駆動ゴムローラ３４ａに該帯状拭布３１ａを巻回すると共に、テンションローラ３５ａを該帯状拭布３１ａに圧接することにより、該帯状拭布３１ａは前記搬送ベルト２１ａの搬送面に対し平行に張設され、駆動ゴムローラ３４ａが回転動することで該帯状拭布３１ａを図１矢印で示した方向に走行させる。なお、帯状拭布３１ａの走行速度は、搬送ベルト２１ａの走行速度よりも低速（約１／１０の速度）となるように設定される。このように帯状拭布３１ａをメダル搬送方向と同方向であって搬送ベルト２１ａよりも低速にて走行させることにより、該帯状拭布３１ａが摩擦によって搬送中のメダルＭ１，Ｍ２に過剰な負荷を掛け、メダルＭ１，Ｍ２が搬送ベルト２１ａの両脇に飛び出してしまうことのないようにしている。
【００１６】
また、上記ガイド杆３２ａは、図６に示すように金属製であって先端が先細の略円柱状をなし、帯状拭布３１の幅よりもやや長く設定されている。更に詳しくは、該ガイド杆３２ａは、図７に示すように先端と基端に中央胴部３８ａより少し太径の大径部３８ｂ，３８ｂを有し、内部にその長手方向に沿って中空内部３６が形成され、その中空内部３６の基端は開放し先端が閉塞されている。また、該ガイド杆３２ａすなわち中央胴部３８ａの外周面には、その長手方向に沿って前記中空内部３６と連通する複数の吐出孔３７が開設されている。更に、該ガイド杆３２ａの基端の雄ネジ部３９ｃが組付板１２に嵌挿され、別途用意されるナット（図示せず。）を螺合して片持ち式に支持固定される。前記太径部３８ｂ，３８ｂ間の間隔は、その間に帯状拭布３１ａが横ズレしないように嵌まり込む寸法に設定される。
【００１７】
そして、該ガイド杆３２ａの中空内部３６の基端を電磁弁（図示せず。）を介して洗浄液タンク（図示せず。）に連通させ、タイマーの作動によって例えば５分おきに該電磁弁が開かれて該洗浄液タンクから洗浄液を上記ガイド杆３２ａに例えば２〜３ｃｃずつ供給するようにしている。そして、該洗浄液を複数の吐出孔３７から吐出させることにより、この洗浄液が帯状拭布３１ａに染み込んで帯状拭布３１ａが常に適度な湿潤状態に維持されるようになっている。
なお、帯状拭布３１ａの湿潤状態を検出する湿潤センサーを設け、その検出によって洗浄液タンクから洗浄液が自動的に供給され、該帯状拭布３１ａが適度な湿潤状態に保たれるようにしてもよい。
【００１８】
また、４０ａは搬送ベルト２１ａによって搬送されるメダルＭ１，Ｍ２の表面に帯状拭布３１ａを弾性的に押圧するために設けられる拭布押圧機構である。該拭布押圧機構４０ａは、図８に示したように、表面に適宜間隔で複数条の縦溝４１ａが形成された合成樹脂製の押圧板４２ａをカバー板４３ａの内側に配置し、該押圧板４２ａの背面に固植された支持軸４４ａをカバー板４３ａに貫挿する。そして、該押圧板４２ａとカバー板４３ａとの間にコイルバネ等の弾性体４５ａを圧縮状態にて介在させ、該カバー板４３ａをコンベヤ２０ａのコンベヤフレーム（図示せず。）に複数の摘子ネジ４６ａにより着脱自在に組み付けることにより、該弾性体４５ａの弾性により該押圧板４２ａが帯状拭布３１ａを背面から押圧し得るように構成している。なお、摘子ネジ４６ａを緩めることによりカバー板４３ａ、押圧板４２ａがコンベヤフレームから着脱され、必要に応じて帯状拭布３１ａを交換できるようにしている。
【００１９】
次に、第２洗浄部Ｂの構成を説明する。第２洗浄部Ｂは、第１洗浄部Ａにおける上下を倒置した関係にてコンベヤ２０ｂと拭布支持機構３０ｂが配置され、該コンベヤ２０ｂの搬送ベルト２１ｂと拭布支持機構３０ｂの帯状拭布３１ｂによって形成される搬送面が斜め下向き（下傾角度：約３０度）姿勢となるようにしている。４７は第１洗浄部Ａのコンベヤ２０ａの上端部から排出されたメダルＭ１，Ｍ２を受けて該メダルＭ１，Ｍ２を自重で第２洗浄部Ｂの搬送ベルト２１ｂと帯状拭布３１ｂとの間隔に導くために傾斜状に設けられた渡し板である。このため、第１洗浄部Ａのコンベヤ２０ａと第２洗浄部Ｂのコンベヤ２０ｂとは、組付板１２の前面に渡し板４７を介して正面「ヘ」字形に連なるように配置される。
【００２０】
なお、コンベヤ２０ｂは、上記コンベヤ２０ａと同様に定幅帯状のゴムベルトからなる搬送ベルト２１ｂを駆動ローラ２３ｂと従動ローラ２４ｂに巻掛してなるものである。しかしながら、該搬送ベルト２１ｂは表面に搬送ベルト２１ａのような係合部は形成されず、図９に示したように、表面に細かな凹凸が形成されたものを用いることで、メダル表面に対し高い摩擦性が得られるようにしている。このため、渡し板４７から滑落したメダルＭ１，Ｍ２は、搬送ベルト２１ｂが図１矢印で示した方向に駆動されることにより帯状拭布３１ｂとの間を斜め下向きに搬送される。このように搬送ベルト２１ｂには搬送ベルト２１ａのような係合部が形成されていないので、第２洗浄部ＢにおいてメダルＭ１，Ｍ２が係合部上に乗り上げてしまうおそれがなく、第１洗浄部Ａから送られてきたメダルＭ１，Ｍ２が滞留するようなトラブルの発生も無く、常にスムースに搬送することができる。また、搬送ベルト２１ｂは、図示した細かな凹凸（凹状部もしくは凸状部）を縞模様のように形成したが、メダルＭ１，Ｍ２との摩擦係数を高められるようにその他の形態に形成してもよい。
【００２１】
該搬送ベルト２１ｂの走行速度は、第１洗浄浄部Ａのコンベヤ２０ａにおける搬送ベルト２１ａの走行速度よりも少し高速に設定される。これは該搬送ベルト２１ａによって搬送されたメダルＭ１，Ｍ２が渡し板４７上に溜まらないようにするためである。また、拭布支持機構３０ｂは前記拭布支持機構３０ａと同様に帯状拭布３１ｂがガイド部材としてのガイド杆３２ｂとガイドローラ３３ｂおよび駆動ゴムローラ３４ｂに巻回されている。そして、テンションローラ３５ｂを該帯状拭布３１ｂに圧接することにより、該帯状拭布３１ｂは前記搬送ベルト２１ｂの搬送面に対し平行に張設され、駆動ゴムローラ３４ｂが回転動することで図１矢印で示した方向に搬送ベルト２１ｂの走行速度よりも低速（約１／１０の速度）で走行される。
なお、上記駆動ローラ２３ａ，２３ｂ、駆動ゴムローラ３４ａ，３４ｂ等は組付板１２の裏側に設けられた図示しないスプロケット、チェーン、ギヤ、等の伝動機構およびモータ（図示せず）を駆動源として上記所定の速度で回転駆動される。
【００２２】
また、ガイド杆３２ｂに洗浄液が供給されるが、該ガイド杆３２ｂはその構造が前記拭布支持機構３０ａにおけるガイド杆３２ａと同じなので、詳しい説明は省略する。そして、前記ガイド杆３２ｂに洗浄液タンクから洗浄液が供給され、帯状拭布３１ｂを常に適度な湿潤状態に維持する。拭布押圧機構４０ｂは、前記拭布押圧機構４０ａと同様に押圧板４２ｂがカバー板４３ｂの内側に配置され、該押圧板４２ｂの背面に固植された支持軸４４ｂをカバー板４３ｂに貫挿させている。そして、該押圧板４２ｂとカバー板４３ｂとの間にコイルバネ等の弾性体４５ｂを圧縮状態にて介在させ、該カバー板４３ｂをコンベヤ２０ｂの両側コンベヤフレーム（図示せず。）に複数の摘子ネジ４６ｂにより着脱自在に組み付ける。これにより、該弾性体４５ｂの弾性により該押圧板４２ｂが帯状拭布３１ｂを押圧し、該帯状拭布３１ｂを搬送ベルト２１ｂによって下向きに搬送されているメダルＭ１，Ｍ２の表面（下面）に帯状拭布３１ｂを弾性的に押圧するように構成している。
【００２３】
このように構成したメダル洗浄装置では、大小のメダルＭ１，Ｍ２を搬送ベルト２１ａの係合部２２ａに係合させて搬送すると共に、該メダルＭ１，Ｍ２の表面にガイド杆３２ａから吐出される洗浄液が染み込んだ帯状拭布３１ａを押圧板４２ａによって適宜押圧力により圧着することによって、該メダルＭ１，Ｍ２の汚れを確実に拭き取ることができる。また、この第１洗浄部Ａを通過した後に該メダルＭ１，Ｍ２は第２洗浄部Ｂに至りて搬送ベルト２１ｂとの摩擦により斜め下向きに搬送され、該メダルの下面に洗浄液を染み込ませた帯状拭布３１ｂを圧着させることにより、該メダルＭ１，Ｍ２を片面ずつ綺麗に洗浄することができる。
【００２４】
図１０（イ）（ロ）は、他の実施の形態のガイド部材であるガイド杆を示すものである。なお、本実施の形態に係るガイド杆３２ａ，３２ｂと同一部位は同一番号を附して詳しい説明は省略する。該ガイド杆３２ｃは、組付板１２に固着され回転することはない。そして、該ガイド杆３２ｃは、前記ガイド杆３２ａ，３２ｂよりも少し細径に形成され、基端側に本実施の形態のような太径部３８ｂはなく、中央胴部３８ａの外周面の中心軸線に沿って吐出孔３７が複数開設されている。また、その外周面の前記吐出孔３７を外した位置にそれぞれ自在に回転する円筒状のローラ４８が嵌合される。各円筒状のローラ４８は、両端が開放しており、ガイド杆３２ｃに嵌合して所定の位置で両側にＥリング４８を嵌着することによりその中心軸線に沿って移動不能に配置される。このように、円筒状のローラ４８をガイド杆３２ｃに嵌合することにより、これと接する帯状拭布３１ａ，３１ｂの磨耗が抑えられる。
【００２５】
本発明は、メダルＭ１，Ｍ２の表面を拭くための帯状拭布３１ａ，３１ｂを張設するガイド杆３２ａ，３２ｂであって、該ガイド杆３２ａ，３２ｂは中空状に形成されると共に該中空内部３６に洗浄液が供給されるようにし、該ガイド杆３２ａ，３２ｂの外周面には中空内部３６と連通する吐出孔３７が開設される。そして、ガイド杆３２ａ，３２ｂの中空内部３６に洗浄液を供給すると共に該洗浄液を吐出孔３７から突出させて該ガイド杆３２ａ，３２ｂと接触する帯状拭布３１ａ，３１ｂに染み込ませるようにしたので、メダルＭ１，Ｍ２と接触する帯状拭布３１ａ，３１ｂ全体に洗浄液が染み渡り、常に、洗浄液と一緒に帯状拭布３１ａ，３１ｂによりメダルＭ１，Ｍ２の表面を拭っていることになる。よって、これによりメダルＭ１，Ｍ２の洗浄効果が向上する。また、ガイド杆３２ａ，３２ｂから帯状拭布３１ａ，３１ｂに洗浄液を染み込ませるようにしたので、その吐出量を調整してやれば、帯状拭布３１ａ，３１ｂから洗浄液が下へ垂れ流れたり周囲に飛散することがほとんどなく、メダル洗浄装置内部の洗浄液によるよごれも少なくなり、メンテナンスが容易になる。
【００２６】
本発明にあっては、ガイド部材として、組付板１２に支持固定され回転しないガイド杆３２ａ，３２ｂを示したが、可能であれば中心軸と直交する面内で全体が回転するガイドローラを使用するようにしても良い。
【図面の簡単な説明】
【００２７】
【図１】本発明が適用されるメダル洗浄装置を縦断面した正面図。
【図２】図１の要部拡大縦断面図。
【図３】図２のＸ−Ｘ線断面図。
【図４】メダル洗浄装置における第１洗浄部の搬送ベルトの斜視図。
【図５】図１におけるメダル攪拌装置の縦断面図。
【図６】メダル洗浄装置におけるガイド杆の斜視図。
【図７】ガイド杆の中央縦断面図。
【図８】メダル洗浄装置における拭布支持機構の押圧板の斜視図。
【図９】メダル洗浄装置における第２洗浄部の搬送ベルトの斜視図。
【図１０】（イ）は他の実施の形態に係るガイド杆の中央縦断面図、（ロ）は同Ｙ−Ｙ線断面図。
【符号の説明】
【００２８】
３１ａ            帯状拭布
３１ｂ            帯状拭布
３２ａ            ガイド部材（ガイド杆）
３２ｂ            ガイド部材（ガイド杆）
３２ｃ            ガイド部材（ガイド杆）
３６              中空内部
３７              吐出孔
４８              円筒状のローラ
Ｍ１              遊技媒体（メダル）
Ｍ２              遊技媒体（メダル）
【図１】
0005210713.tif 000002
【図２】
0005210713.tif 000003
【図３】
0005210713.tif 000004
【図４】
0005210713.tif 000005
【図５】
0005210713.tif 000006
【図６】
0005210713.tif 000007
【図７】
0005210713.tif 000008
【図８】
0005210713.tif 000009
【図９】
0005210713.tif 000010
【図１０】
0005210713.tif 000011